(57)【特許請求の範囲】
【請求項１】
下地に沿って互いに並べられた状態で当該下地に取付けられる第１パネル及び第２パネルと、これら第１パネル及び第２パネルを前記下地に接着するように各パネルの裏面と前記下地との間に配された接着剤とを含み、
前記第１パネル及び前記第２パネルは互いに突き合わされる第１突合せ端部及び第２突合せ端部をそれぞれ有し、
前記第１突合せ端部のうち前記下地に近い側の部位は前記下地から遠い側の部位よりも前記第２突合せ端部側に突出して第１突出部を形成し、
前記第２突合せ端部のうち前記下地から遠い側の部位が前記下地に近い側の部位よりも前記第１突合せ端部側に突出して第２突出部を形成し、
前記第２突出部は、この第２突出部が前記第１突合せ端部のうち前記第１突出部よりも前記下地から遠い側の部位に当接した状態で当該第１突出部の先端と前記第２突合せ端部のうち前記第２突出部よりも下地に近い側の部位との間に第１の接着剤進入路を形成するように前記第１突出部よりも大きな突出長さを有するとともに、この第２突出部と前記第１突出部との間に前記第１の接着剤進入路に通ずる第２の接着剤進入路を形成するように当該第１突出部から前記下地と反対の側に離れた状態で突出し、
前記第２突出部のうち先端部よりも根元側の部分と前記第１突出部との間に接着剤を進入させる前記第２の接着剤進入路の隙間を確保しつつ、前記第２の接着剤進入路に進入した接着剤がさらに前記第２突出部と前記第１パネルの前記第１突合せ端部との隙間からパネルの外側にはみ出ることを抑止するように前記第２突出部の前記先端部の裏面は、前記根元側の部分の裏面よりも下地側に突出する形状を有しており、
前記接着剤は、前記下地から前記第１の接着剤進入路及び前記第２の接着剤進入路に進入することにより前記第１突出部と前記第２突出部とをパネル厚み方向に接着していることを特徴とするパネル取付構造。
【請求項２】
請求項１に記載のパネル取付構造において、
各パネルと下地との間であって突き合わせ端部の近傍部位に、前記接着剤を前記接着剤溜り部へ向けて移動させるべく設けられた貼着テープを有することを特徴とするパネル取付構造。
【請求項３】
請求項１又は２に記載のパネル取付構造において、
前記根元側の部分と前記第１突出部との間の前記第２の接着剤進入路における前記パネル厚み方向の隙間寸法は、前記第２突出部の前記突出長さの方向において一定であることを特徴とするパネル取付構造。
【請求項４】
第１パネル及び第２パネルを下地に沿って並べた状態で当該下地に取付けるための方法であって、
前記第１パネル及び前記第２パネルとして、それぞれが互いに突き合わされる第１突合せ端部及び第２突合せ端部をそれぞれ有し、前記第１突合せ端部のうち前記下地に近い側の部位は前記下地から遠い側の部位よりも前記第２突合せ端部側に突出して第１突出部を形成し、前記第２突合せ端部のうち前記下地から遠い側の部位が前記下地に近い側の部位よりも前記第１突合せ端部側に突出して第２突出部を形成し、前記第２突出部は、この第２突出部が前記第１突合せ端部のうち前記第１突出部よりも前記下地から遠い側の部位に当接した状態で当該第１突出部の先端と前記第２突合せ端部のうち前記第２突出部よりも下地に近い側の部位との間に第１の接着剤進入路を形成するように前記第１突出部よりも大きな突出長さを有するとともに、この第２突出部と前記第１突出部との間に前記第１の接着剤進入路に通ずる第２の接着剤進入路を形成するように当該第１突出部から前記下地と反対の側に離れた状態で突出し、前記第２突出部のうち先端部よりも根元側の部分と前記第１突出部との間に接着剤を進入させる前記第２の接着剤進入路の隙間を確保しつつ、前記第２の接着剤進入路に進入した接着剤がさらに前記第２突出部と前記第１パネルの前記第１突合せ端部との隙間からパネルの外側にはみ出ることを抑止するように前記第２突出部の前記先端部の裏面は、前記根元側の部分の裏面よりも下地側に突出する形状を有するパネルを用意することと、
前記下地と前記第１パネル及び前記第２パネルの裏面との間に接着剤を介在させた状態で両パネルを前記下地に押付けることにより、前記接着剤を前記第１の接着剤進入路及び前記第２の接着剤進入路に進入させて前記第１パネルの第１突出部と前記第２パネルの第２突出部とをパネル厚み方向に接着することと、を含むことを特徴とするパネル取付方法。
【発明の詳細な説明】
【技術分野】
【０００１】
本発明は、屋内の壁や天井、床、或いは屋外の壁などの下地に対するパネルの取付構造及びパネル取付方法に関する。
【背景技術】
【０００２】
上述したパネルの取付構造としては、下地に対しパネルを、両面粘着テープ及び接着剤を用いて接着する構造が提案されている（例えば、特許文献１等参照）。より詳細には、パネルの４辺の近傍部位に各辺に沿って両面粘着テープを貼着するとともに、パネル中央部に長手方向に沿って両面粘着テープを貼着し、両面粘着テープで囲まれたテープ非貼着部分に接着剤を配し、パネルを下地に押し付けることにより取付ける構造となっている。
【先行技術文献】
【特許文献】
【０００３】
【特許文献１】実用新案登録第３１１７９５０号
【発明の概要】
【発明が解決しようとする課題】
【０００４】
ところで、前記構造によって複数のパネルを並べて配置しながら取付ける場合、その互いに隣り合うパネルの端部同士の間隔の設定が難しいという課題がある。これらのパネルの端部同士はなるべく近接させることが外観上好ましいが、当該端部同士を近接させると、パネルの熱膨張により当該端部同士が突き合わされることで、パネル端部が下地から浮き上がってしまうおそれがある。そのため、特許文献１に記載された構成では、パネルの端部同士の間に弾性材料からなる目地を入れ、パネルの熱膨張により当該端部同士が接近してもパネル端部が下地から浮き上がらないようにしている。
【０００５】
このようにパネル端部を近接させてもパネル端部が下地から浮き上がらないようにするには、下地にパネルの端を接着することで対応できるものの、例えば接着剤の量や押し付け力が適当でないときには接着剤が端部同士の間を通って外側へはみ出し易くなり、そのはみ出した接着剤によって外観が損なわれてしまうという難点がある。
【０００６】
本発明は、このような事情に鑑み、複数のパネルの端部同士を近接または当接させて外観の向上を図りながら、これらのパネルの熱膨張に起因する前記端部の下地からの浮き上がりを防止することが可能なパネルの取付構造及び取付方法を提供することを目的とする。
【課題を解決するための手段】
【０００７】
前記課題を解決するための手段として、本発明者らは、前記下地に前記各パネルを取付けるための接着剤を利用して当該パネルの端部同士を結合することにより当該端部の浮き上がりを抑止することに想到した。
【０００８】
具体的に、本発明が提供するパネル取付構造は、下地に沿って互いに並べられた状態で当該下地に取付けられる第１パネル及び第２パネルと、これら第１パネル及び第２パネルを前記下地に接着するように各パネルの裏面と前記下地との間に配された接着剤とを含み、前記第１パネル及び前記第２パネルは互いに突き合わされる第１突合せ端部及び第２突合せ端部をそれぞれ有し、前記第１突合せ端部のうち前記下地に近い側の部位は前記下地から遠い側の部位よりも前記第２突合せ端部側に突出して第１突出部を形成し、前記第２突合せ端部のうち前記下地から遠い側の部位が前記下地に近い側の部位よりも前記第１突合せ端部側に突出して第２突出部を形成し、前記第２突出部は、この第２突出部が前記第１突合せ端部のうち前記第１突出部よりも前記下地から遠い側の部位に当接した状態で当該第１突出部の先端と前記第２突合せ端部のうち前記第２突出部よりも下地に近い側の部位との間に第１の接着剤進入路を形成するように前記第１突出部よりも大きな突出長さを有するとともに、この第２突出部と前記第１突出部との間に前記第１の接着剤進入路に通ずる第２の接着剤進入路を形成するように当該第１突出部から前記下地と反対の側に離れた状態で突出し、前記接着剤は、前記下地から前記第１の接着剤進入路及び前記第２の接着剤進入路に進入することにより前記第１突出部と前記第２突出部とをパネル厚み方向に接着しているものである。この構造によれば、第２パネルの第２突合せ端部における第２突出部が第１パネルの第１突合せ端部のうち下地から遠い側の部位に近接されることで外観の向上を図りながら、前記第２突出部の浮き上がりを防ぐことが可能になる。即ち、この構造によれば、下地とパネルとの接着に寄与する接着剤が、第１の接着剤進入路さらには第２の接着剤進入路に進入して第１パネルの第１突出部と第２パネルの第２突出部とを接着するため、両パネルの熱膨張に起因して、第１パネルの第１突合せ端部のうち下地から遠い側の部位に第２突出部が当接することにより起こる第２突出部の浮き上がりが防止される。また、パネルの裏面と下地との間からはみ出る接着剤は、第２突出部の裏側にある第１及び第２の接着剤進入路に受け入れられるので、この接着剤がパネル表側にはみ出すことによる外観の低下を回避しながら上記効果が得られる。
【０００９】
この構造において、前記第２突出部は、その先端部の裏面が前記先端部よりも根元側の部分の裏面よりも下地側に突出する形状を有する。この裏面の突出部分は、第２の接着剤進入路に進入した接着剤がさらに第２突出部と第１パネルの第１突合せ端部との隙間からパネルの外側にはみ出ることを有効に抑止する。また、前記第２突出部のうちその先端部の前記突出部分よりも根元側の部分は、前記第１突出部との間に接着剤の進入に十分な隙間（第２の接着剤進入路）を確保することができる。
【００１０】
また、この構造では、各パネルと下地との間であって突合せ端部の近傍部位に、前記接着剤を前記接着剤溜り部へ向けて移動させるべく設けられた貼着テープを有するようにしてもよい。このようにした場合には、パネルと下地との間がパネルを押し付けることで狭くなって接着剤が広がっていくとき、突合せ端部の近傍部位に設けた貼着テープが接着剤の拡がり方向を規制し、接着剤を接着剤溜り部へ向けて移動させることが可能になる。
また、この構造では、前記根元側の部分と前記第１突出部との間の前記第２の接着剤進入路における前記パネル厚み方向の隙間寸法は、前記第２突出部の前記突出長さの方向において一定であってもよい。
【００１１】
また、本発明が提供するパネル取付方法は、第１パネル及び第２パネルを下地に沿って並べた状態で当該下地に取付けるための方法であって、前記第１パネル及び前記第２パネルとして、それぞれが互いに突き合わされる第１突合せ端部及び第２突合せ端部をそれぞれ有し、前記第１突合せ端部のうち前記下地に近い側の部位は前記下地から遠い側の部位よりも前記第２突合せ端部側に突出して第１突出部を形成し、前記第２突合せ端部のうち前記下地から遠い側の部位が前記下地に近い側の部位よりも前記第１突合せ端部側に突出して第２突出部を形成し、前記第２突出部は、この第２突出部が前記第１突合せ端部のうち前記第１突出部よりも前記下地から遠い側の部位に当接した状態で当該第１突出部の先端と前記第２突合せ端部のうち前記第２突出部よりも下地に近い側の部位との間に第１の接着剤進入路を形成するように前記第１突出部よりも大きな突出長さを有するとともに、この第２突出部と前記第１突出部との間に前記第１の接着剤進入路に通ずる第２の接着剤進入路を形成するように当該第１突出部から前記下地と反対の側に離れた状態で突出し、前記第２突出部のうち先端部よりも根元側の部分と前記第１突出部との間に接着剤を進入させる前記第２の接着剤進入路の隙間を確保しつつ、前記第２の接着剤進入路に進入した接着剤がさらに前記第２突出部と前記第１パネルの前記第１突合せ端部との隙間からパネルの外側にはみ出ることを抑止するように前記第２突出部の前記先端部の裏面は、前記根元側の部分の裏面よりも下地側に突出する形状を有するパネルを用意することと、前記下地と前記第１パネル及び前記第２パネルの裏面との間に接着剤を介在させた状態で両パネルを前記下地に押付けることにより、前記接着剤を前記第１の接着剤進入路及び前記第２の接着剤進入路に進入させて前記第１パネルの第１突出部と前記第２パネルの第２突出部とをパネル厚み方向に接着することと、を含むものである。本発明方法による場合には、請求項１と同様の効果が得られる。
【発明の効果】
【００１２】
本発明にあっては、第２パネルの第２突合せ端部における第２突出部が第１パネルの第１突合せ端部のうち下地から遠い側の部位に近接されることで外観の向上を図りながら、前記第２突出部の浮き上がりを防ぐことが可能になる。即ち、この構造によれば、下地とパネルとの接着に寄与する接着剤が、第１の接着剤進入路さらには第２の接着剤進入路に進入して第１パネルの第１突出部と第２パネルの第２突出部とを接着するため、両パネルの熱膨張に起因して、第１パネルの第１突合せ端部のうち下地から遠い側の部位に第２突出部が当接することにより起こる第２突出部の浮き上がりが防止される。また、パネルの裏面と下地との間からはみ出る接着剤は、第２突出部の裏側にある第１及び第２の接着剤進入路に受け入れられるので、この接着剤がパネル表側にはみ出すことによる外観の低下を回避しながら上記効果が得られる。
【図面の簡単な説明】
【００１３】
【図１】本発明の一実施形態に係るパネル取付構造を底面側から見た図である。
【図２】パネルの底面図である。
【図３】パネル取付方法の説明図である。
【発明を実施するための形態】
【００１４】
以下に、本発明の実施形態を具体的に説明する。
【００１５】
図１は本発明の一実施形態に係るパネル取付構造を底面側から見た図である。
【００１６】
本実施形態に係るパネル取付構造１は、下地３の上に、下地３との間に接着剤５および両面テープ７を介し、互いに端部を突き合わせて複数のパネル１０、１０・・・が取付けられた構造である。
【００１７】
上記接着剤５としては、例えば湿気硬化型ウレタン系接着剤であるボンドＫＵ９１２（コニシ（株））を用いており、粘度は７０〜１７０Ｐａ・ｓ（２０ｒ／ｍｉｎ）である。
【００１８】
上記下地３は、本実施形態では床面に対して立設された屋内の壁を対象としており、その下地３の外表面にパネル１０が取付けられている。
【００１９】
各パネル１０は、矩形板状をした同一構成のものであり、その幅方向Ｗを下地３の外表面と一致させて並設されており、幅方向Ｗの一方側（右側）に第１突合せ端部１３を有し、他方側（左側）に第２突合せ端部１５を有する。第１突合せ端部１３には、下地３から遠い側の部位１７ａに対して下地３に近い側の部位を、下地３の表面に沿った側方であって隣（右隣）のパネル１０の第２突合せ端部１５側（後述する部位１９ａ側）へ向けて突出させた第１突出部１７が設けられ、第２突合せ端部１５には、下地３に近い側の部位１９ａに対して下地３から遠い側の部位を、下地３の表面に沿った側方であって隣（左隣）のパネル１０の第１突合せ端部１３の前記部位１７ａ側へ向けて突出させた第２突出部１９が設けられている。第１突出部１７は、幅方向Ｗにおいて部位１９ａに対向配設され、第２突出部１９は幅方向Ｗにおいて前記部位１７ａに当接される。
【００２０】
ここで、図１の中央の２つのパネル１０において、左側のパネル１０を第１パネル１１と呼び、右側のパネル１０を第２パネル１２と呼ぶ。
【００２１】
第１パネル１１の第２突出部１９は、第１パネル１１よりも左側のパネル１０（１０Ａ）の第１突出部１７とパネル厚み方向Ａにおいて対向して第１突出部１７を覆い、第１パネル１１の第１突出部１７は、第２パネル１２の第２突出部１９とパネル厚み方向Ａにおいて対向して第２突出部１９により覆われる。
【００２２】
第２パネル１２の第２突出部１９は、第１パネル１１の第１突出部１７とパネル厚み方向Ａで対向して第１突出部１７を覆い、第２パネル１２の第１突出部１７は、第２パネル１２よりも右側のパネル１０（１０Ｂ）の第２突出部１９とパネル厚み方向Ａにおいて対向して第２突出部１９により覆われる。
【００２３】
各パネル１１、１２の第２突出部１９の突出長さＬ１は、第１突出部１７の突出長さＬ２よりも長く形成されていて、この第２突出部１９が左側のパネル１０の突合せ端部１３における前記部位１７ａに当接されている。そして、この当接状態において、両方の突き合わせ端部１３、１５の間には、より具体的には左側のパネル１０の第１突出部１７と右側のパネル１０の前記部位１９ａとの間には、第１の接着剤進入路２１が形成される。
【００２４】
また、第２突出部１９は、左側のパネル１０に近い先端部２３と、その先端部２３よりも左側のパネル１０から遠い基端部２５とを有し、基端部２５は第１突出部１７から下地３と反対の側に離れた状態に形成されていて、その基端部２５の裏面（下面）と第１突出部１７の表面（上面）との間には、第１の接着剤進入路２１に連通する第２の接着剤進入路２７が形成されている。更に、先端部２３の裏面（下面）と第１突出部１７の表面（上面）との間には、接着剤５を通す隙間２９が形成されており、その隙間２９は前記第２の接着剤進入路２７に連通している。
【００２５】
上記第２の接着剤進入路２７には、この第２の接着剤進入路２７を構成する左右２つのパネル１０と下地３との間に設けた接着剤５が、第１の接着剤進入路２１を経て供給される。即ち、これら第１及び第２の接着剤進入路２１、２７は接着剤５のはみ出した部分を第２突出部１９の裏側で受け入れる機能を有する。なお、第２の接着剤進入路２７にはみ出す接着剤は、主に右側のパネル１０と下地３との間に設けた接着剤５Ａで構成されるが、左側のパネル１０と下地３との間に設けた接着剤５Ｂを含んでいてもよい。上記隙間２９には、第２の接着剤進入路２７に溜まる量よりも多く接着剤５が第２の接着剤進入路２７にはみ出したときに、第２の接着剤進入路２７に収容しきれない接着剤５が供給される。第２の接着剤進入路２７を挟む基端部２５と第１突出部１７との間の隙間寸法Ｂは、隙間２９のパネル厚み方向Ａでの寸法Ｃよりも大きく、第１の接着剤進入路２１の幅方向Ｗでの寸法Ｆよりも小さく設定されている。
【００２６】
また、各パネル１０と下地３との間であって各接着剤５（５Ａ、５Ｂ）の幅方向Ｗ内側には、前記両面テープ７がパネル１０の長手方向に沿い、かつ全長にわたって連続的に設けられている。また、接着剤５（５Ａ、５Ｂ）も、パネル１０の長手方向に沿い、かつ全長にわたって連続的に設けられる。
【００２７】
図２はパネルの底面図である。
【００２８】
パネル１０は、第１突出部１７および第２突出部１９の箇所を除いて一定の厚み寸法Ｔ１に形成され、前記隙間寸法Ｂは、第１突出部１７の厚み寸法Ｔ４に基端部２５の厚み寸法Ｔ２を加えた値を、厚み寸法Ｔ１から減算した値に設定される。例えば、Ｔ１＝４ｍｍ、Ｔ４＝１．６ｍｍ、Ｔ２＝１．６ｍｍとすると、隙間寸法Ｂは、０．８ｍｍに設定される。また、隙間２９の厚み方向Ａの寸法Ｃは、先端部２３の厚み寸法Ｔ３に、第１突出部１７の厚み寸法Ｔ４を加えた値を、厚み寸法Ｔ１から減算した値に設定される。例えば、Ｔ３＝２．１ｍｍとすると、隙間２９の厚み方向Ａの寸法Ｃは、０．３ｍｍに設定される。なお、以上の寸法Ｔ１〜Ｔ４の値は一例であり、適宜異なる値を選定し得る。
【００２９】
また、第２突出部１９の突出長さＬ１は第１突出部１７の突出長さＬ２よりも長く設定されていて、このＬ１からＬ２を減算した値が、前記幅方向Ｗにおける第１の接着剤進入路２１の寸法Ｆに一致する。寸法Ｆは、例えばＬ１＝５．０ｍｍ、Ｌ２＝４．０ｍｍとすると、隙間寸法Ｂよりも大きい１．０ｍｍに設定される。なお、寸法Ｆ、隙間寸法Ｂ及び寸法Ｃについては、例えば接着剤５の種類や粘度に対応させて、第１の接着剤進入路２１、第２の接着剤進入路２７及び隙間２９を接着剤５が支障なく移動し得る値に適宜選定することが好ましい。また、前記基端部２５のパネル幅方向Ｗにおける長さ寸法Ｌ３は、例えばＬ１＝５．０ｍｍのときに３．５ｍｍ程度に設定される。
【００３０】
次に、このように構成された本実施形態に係るパネル取付構造を得るためのパネル取付方法につき、図３に基づいて説明する。
【００３１】
まず、壁に貼着する所定枚数のパネル１０を用意する。
【００３２】
次に、図３（ａ）に示すように、下地３の第１パネル１１を取付ける領域Ｄに接着剤５Ｂを付着させるとともに、その接着剤５Ｂよりも幅方向Ｗ内側に両面テープ７を貼着し、下地３の第２パネル１２を取付ける領域Ｅに接着剤５Ａを付着させるとともに、その接着剤５Ａよりも幅方向Ｗ内側に両面テープ７を貼着する。
【００３３】
次に、図３（ｂ）に示すように、下地３の領域Ｄに第１パネル１１を、下地３側へ押し付けて取付ける。このとき、第１パネル１１の第１突出部１７の表面（上面）は露出したままで、一方の第２突出部１９（図に表れていない）は、この第１パネル１１よりも先に取付られたパネル１０（図１における１０Ａ）の第１突出部１７を覆う。
【００３４】
次に、図３（ｃ）に示すように、下地３の領域Ｅに第２パネル１２を、下地３側へ押し付けて取付ける。このとき、先に取付けた第１パネル１１の第１突出部１７に、第２パネル１２の第２突出部１９を対向させるとともに、その第２突出部１９を第１パネル１１の突合せ端部１３の前記部位１７ａに当接させて両方の突合せ端部１３、１５の間に第１の接着剤進入路２１を形成する。
【００３５】
次に、第２パネル１２を下地側へ押し付けて、下地３と第２パネル１２との間の接着剤５Ａを、第１の接着剤進入路２１を経由して第２の接着剤進入路２７へ進入させ、更には隙間２９に接着剤５Ａを供給し、下地３の上に第２パネル１２を貼着する。このとき、両面テープ７は、接着剤５Ａが両面テープ７側へ拡がるのを規制し、両面テープ７が接着剤５Ａを第２の接着剤進入路２７へ移動させるように働く。なお、第１の接着剤進入路２１及び第２の接着剤進入路２７には、下地３と第２パネル１２との間の接着剤５Ａだけでなく、第１パネル１１と下地３との間の接着剤５Ｂも進入するようにしてもよい。換言すると、接着剤５としては、これら第１パネル１１及び第２パネル１２の取付けが完了するまでは硬化せず、第１の接着剤進入路２１及び第２の接着剤進入路２７への進入が可能な粘性や硬化速度を有するものを用いるのが好ましい。
【００３６】
これにより第２パネル１２が下地３の上に取付けられる。以上の工程は、以降のパネルの取付けにおいても同様に繰り返し行われる。
【００３７】
したがって、本実施形態による場合には、第２パネル１２の第２突合せ端部１５における第２突出部１９が第１パネル１１の第１突合せ端部１３のうち下地３から遠い側の部位１７ａに近接されることで外観の向上を図りながら、前記第２突出部１９の浮き上がりを防ぐことが可能になる。即ち、下地３とパネル１０との接着に寄与する接着剤５が、第１の接着剤進入路２１さらには第２の接着剤進入路２７に進入して第１パネル１１の第１突出部１７と第２パネル１２の第２突出部１９とを接着するため、両パネル１１、１２の熱膨張に起因して、第１パネル１１の第１突合せ端部１３のうち下地３から遠い側の部位１７ａに第２突出部１９が当接することにより起こる第２突出部１９の浮き上がりが防止される。また、パネル１０の裏面と下地３との間からはみ出る接着剤５は、第２突出部１９の裏側にある第１及び第２の接着剤進入路２１、２７に受け入れられるので、この接着剤５がパネル表側にはみ出すことによる外観の低下を回避しながら上記効果が得られる。
【００３８】
また、本実施形態にあっては、第２突出部１９は、その先端部２３の裏面が他の部位（基端部２５）の裏面よりも下地３側に突出する形状を有するので、この裏面の突出部分２３ａは、第２の接着剤進入路２７に進入した接着剤５がさらに第２突出部１９と部位１７ａとの当接部Ｈからパネルの外側にはみ出ることを有効に抑止する。また、第２突出部１９のうちその先端の前記突出部分２３ａよりも根元側の部分（基端部２５）は、第１突出部１７との間に接着剤５の進入に十分な隙間（第２の接着剤進入路）２７を確保することができる。
【００３９】
なお、上述した実施形態においては、第１パネル１１を貼着した後に第２パネル１２を貼着しているが、本発明はこれに限らず、第１パネル１１及び第２パネル１２の２枚を仮セットしてから両者を同時に貼着してもよく、或いは、３枚以上のパネルを同様にして貼着するようにしてもよい。
【００４０】
また、上述した実施形態においては、第２突出部１９と部位１７ａとを当接させているが、本発明はこれに限らず、第２突出部１９と部位１７ａとの間に少し隙間を有する近接状態にしてもよく、この場合にあっても同様に適用することができる。
【００４１】
更に、上述した実施形態において、パネル１０と下地３との間であって突合せ端部１３、１５の近傍部位に、接着剤５を第２の接着剤進入路２７へ向けて移動させるべく両面テープ７を設けているが、本発明はこれに限らず、両面テープ７に代えて、片面に粘着膜が設けられたテープや、粘着膜が省略されたテープを接着剤で貼着するタイプのものを用いてもよい。
【００４２】
更にまた、上述した実施形態では接着剤５をパネル１０の長手方向の全長にわたり連続的に設けているが、本発明はこれに限らず、パネル１０の長手方向に沿って断続的に設けてもよい。
【００４３】
更にまた、上述した実施形態では幅方向に複数のパネルを並設する場合を例に挙げて説明しているが、本発明はこれに限らず、長手方向に複数のパネルを並設する場合においても同様に実施できる。更に、幅方向と長手方向の両方に複数のパネルを取付ける場合にも適用することができる。
【００４４】
更にまた、上述した実施形態では床面から立設した屋内の壁にパネルを取付ける場合を例に挙げているが、本発明はこれに限らず、床面や天井面、或いは屋外の壁などにも同様にパネルを取付けることができる。
【符号の説明】
【００４５】
１    パネル取付構造
３    下地
５、５Ａ、５Ｂ    接着剤
７    両面テープ（貼着テープ）
１０    パネル
１１    第１パネル
１２    第２パネル
１３    第１突合せ端部
１５    第２突合せ端部
１７    第１突出部
１７ａ    部位
１９    第２突出部
１９ａ    部位
２１    第１の接着剤進入路
２３    先端部
２５    基端部
２７    第２の接着剤進入路
２９    隙間
Ａ    パネル厚み方向
Ｌ１    第２突出部の突出長さ
Ｌ２    第１突出部の突出長さ
【図１】
0005530986.tif 000002
【図２】
0005530986.tif 000003
【図３】
0005530986.tif 000004